(57)【要約】      （修正有）【課題】本発明は、軸方向サイズの増大を抑制できるファン、及び、送風装置を提供する。【解決手段】送風装置１００に搭載されるファン１は、モータ２、インペラ３、及び第１ハウジング４を備える。第１ハウジングは、モータのステータ２２に取り付けられるハウジングベース部３１と、第１吸気口１１が設けられるハウジング蓋部４２と、モータよりも径方向外方に配置され且つ周方向に延びる通路部４３と、を有する。モータの下部に取り付けられるインペラが、軸方向においてハウジングベース部及びハウジング蓋部間に配置される。通路部は、ハウジングベース部及びハウジング蓋部の径方向外端部と接続される。通路部の周方向における一方端部から他方端部に向かうにつれて、通路部の軸方向幅はより長くなり、且つ、通路部の上端はより上方に配置される。通路部の周方向における他方端部には、第１排気口１２が設けられる。【選択図】図２
2020106010.tif 000002
【特許請求の範囲】
【請求項１】
モータと、
前記モータの下部に取り付けられるインペラと、
前記インペラを内部に収容する第１ハウジングと、
を備え、
前記モータは、
上下方向に延びる中心軸を中心に前記インペラとともに回転可能なロータと、
前記ロータと径方向に対向するステータと、
を有し、
前記インペラは、
前記ロータに固定されて前記中心軸から径方向外方に広がるインペラベースと、
前記インペラベースの下面に配置され且つ周方向に複数配列されるブレードと、
を有し、
前記第１ハウジングは、
前記ステータに取り付けられるハウジングベース部と、
第１吸気口が設けられるハウジング蓋部と、
前記モータよりも径方向外方に配置され且つ周方向に延びる通路部と、
を有し、
前記ハウジング蓋部は、前記ハウジングベース部よりも下方に配置され、該ハウジングベース部と軸方向に対向し、
軸方向において前記ハウジングベース部と前記ハウジング蓋部との間には、前記インペラが配置され、
前記通路部は、前記ハウジングベース部の径方向外端部及び前記ハウジング蓋部の径方向外端部と接続され、
前記通路部の周方向における一方端部から他方端部に向かうにつれて、前記通路部の軸方向幅はより長くなり、且つ、前記通路部の上端はより上方に配置され、
前記通路部の周方向における他方端部には、第１排気口が設けられる、ファン。
【請求項２】
前記第１排気口における前記通路部の軸方向幅は、前記モータの軸方向幅よりも長い、請求項１に記載のファン。
【請求項３】
前記通路部は複数であり、
各々の前記通路部の前記第１排気口は、周方向において等間隔に配置される、請求項１又は請求項２に記載のファン。
【請求項４】
前記第１排気口における前記通路部の上端は、前記モータの上端よりも上方に配置される、請求項１から請求項３のいずれか１項に記載のファン。
【請求項５】
前記通路部の下端は、前記第１吸気口よりも上方に配置される、請求項１から請求項４のいずれかに記載のファン。
【請求項６】
前記通路部の径方向幅は、周方向において一定である、請求項１から請求項５のいずれか１項に記載のファン。
【請求項７】
前記通路部の他方端部は、軸方向と垂直な方向に真っ直ぐ延びる、請求項１から請求項６のいずれか１項に記載のファン。
【請求項８】
前記モータに電力を供給するバッテリーをさらに備え、
前記バッテリーは、前記通路部よりも径方向内方に配置される、請求項１から請求項７のいずれか１項に記載のファン。
【請求項９】
前記バッテリーの上端は、前記第１排気口における前記通路部の上端よりも下方に配置される、請求項８に記載のファン。
【請求項１０】
請求項１から請求項９のいずれか１項に記載のファンと、
前記ファンを内部に収容する第２ハウジングと、
を備え、
前記第２ハウジングには、前記ファンの前記第１吸気口と連通する第２吸気口と、前記ファンの前記第１排気口と連通する第２排気口と、が設けられる、送風装置。
【請求項１１】
請求項１から請求項９のいずれか１項に記載のファンと、
前記ファンを内部に収容する第２ハウジングと、
前記第２ハウジングの下方に配置され、前記第２ハウジングを支持するターンテーブルと、
前記ターンテーブルを上下に延びるテーブル回転軸回りに回転駆動可能なテーブル駆動モータと、
を備える、送風装置。
【請求項１２】
前記中心軸と前記テーブル回転軸とは、同軸である、請求項１１に記載の送風装置。
【請求項１３】
前記第２ハウジングの内部に収容されるフィルタをさらに備え、
前記第２吸気口は、前記フィルタを介して前記第１吸気口と連通する、請求項１０から請求項１２のいずれか１項に記載の送風装置。
【発明の詳細な説明】
【技術分野】
【０００１】
本発明は、ファン、及び、送風装置に関する。
【背景技術】
【０００２】
従来、空気清浄機などの送風装置には、ファンが搭載されている。ファンには、たとえば特開２００７−２９１８７７号公報に開示される遠心式多翼送風機のような遠心ファンを採用できる。この遠心式多翼送風機は、複数のブレードを有する円筒状のファンと、ファンを回転駆動する電動モータと、を有する。ファンは、スクロール壁部が螺旋状に延びるスクロールケーシング内に収容される。スクロール壁部は、基準位置からの巻き角度が増大するにつれて、ファンの中心からの径方向距離が大きくなるよう湾曲する。スクロール壁部の上端部には、第１端壁が接続される。スクロール壁部の下端部には、ファンの軸線と直交する平面に平行な第２端壁が接続される。第１端壁は、ファンの軸線と直交する平面に平行な平坦面と、平坦面に対して斜めに連なる傾斜面と、を含む。該傾斜面と第２端壁との間の距離は、上流から下流に向かうに連れて増大する。このため、スクロールケーシング内の渦巻流路の断面積は、上流から下流に向けて徐々に拡大する。
【先行技術文献】
【特許文献】
【０００３】
【特許文献１】特開２００７−２９１８７７号公報
【発明の概要】
【発明が解決しようとする課題】
【０００４】
特開２００７−２９１８７７号公報の遠心式多翼送風機では、電動モータの下端部が第２端壁よりも下方に突出する。そのため、遠心式多翼送風機の軸方向サイズが増大する。
【０００５】
本発明は、軸方向サイズの増大を抑制できるファン、及び、送風装置を提供することを目的とする。
【課題を解決するための手段】
【０００６】
本発明の例示的なファンは、モータと、前記モータの下部に取り付けられるインペラと、前記インペラを内部に収容する第１ハウジングと、を備える。前記モータは、上下方向に延びる中心軸を中心に前記インペラとともに回転可能なロータと、前記ロータと径方向に対向するステータと、を有する。前記インペラは、前記ロータに固定されて前記中心軸から径方向外方に広がるインペラベースと、前記インペラベースの下面に配置され且つ周方向に複数配列されるブレードと、を有する。前記第１ハウジングは、前記ステータに取り付けられるハウジングベース部と、第１吸気口が設けられるハウジング蓋部と、前記モータよりも径方向外方に配置され且つ周方向に延びる通路部と、を有する。前記ハウジング蓋部は、前記ハウジングベース部よりも下方に配置され、該ハウジングベース部と軸方向に対向する。軸方向において前記ハウジングベース部と前記ハウジング蓋部との間には、前記インペラが配置される。前記通路部は、前記ハウジングベース部の径方向外端部及び前記ハウジング蓋部の径方向外端部と接続される。前記通路部の周方向における一方端部から他方端部に向かうにつれて、前記通路部の軸方向幅はより長くなり、且つ、前記通路部の上端はより上方に配置される。前記通路部の周方向における他方端部には、第１排気口が設けられる。
【０００７】
本発明の例示的な送風装置は、上記のファンと、前記ファンを内部に収容する第２ハウジングと、を備える。前記第２ハウジングには、前記ファンの前記第１吸気口と連通する第２吸気口と、前記ファンの前記第１排気口と連通する第２排気口と、が設けられる。また、本発明の他の例示的な送風装置は、上記のファンと、前記ファンを内部に収容する第２ハウジングと、前記第２ハウジングの下方に配置され、前記第２ハウジングを支持するターンテーブルと、前記ターンテーブルを上下に延びるテーブル回転軸回りに回転駆動可能なテーブル駆動モータと、を備える。
【発明の効果】
【０００８】
本発明の例示的なファン、及び、送風装置によれば、軸方向サイズの増大を抑制することができる。
【図面の簡単な説明】
【０００９】
【図１】図１は、実施形態に係る送風装置の一部を透視させた斜視図である。
【図２】図２は、実施形態に係る送風装置の斜視断面図である。
【図３】図３は、実施形態に係る第１ハウジングの斜視図である。
【図４】図４は、実施形態に係る送風装置の断面を上方から見た図である。
【図５】図５は、第１変形例に係る送風装置の一部を透視させた斜視図である。
【図６】図６は、第１変形例に係る送風装置の斜視断面図である。
【図７】図７は、第１変形例に係る第１ハウジングの斜視図である。
【図８】図８は、第１変形例に係る送風装置の断面を上方から見た図である。
【図９】図９は、第２変形例に係る送風装置の斜視図である。
【図１０】図１０は、第２変形例に係る送風装置の縦断面図である。
【図１１】図１１は、第２変形例に係るターンテーブル機構を示す斜視断面図である。
【発明を実施するための形態】
【００１０】
以下に図面を参照して例示的な実施形態を説明する。
【００１１】
なお、本明細書では、送風装置１００、１００ａ及びファン１、１ａにおいて、中心軸ＣＡと平行な方向を「軸方向」と呼ぶ。軸方向のうち、第１ハウジング４、４ａのハウジング蓋部４２からハウジングベース部４１への向きを「上方」と呼び、ハウジングベース部４１からハウジング蓋部４２への向きを「下方」と呼ぶ。各々の構成要素において、上方における端部を「上端部」と呼び、軸方向における上端の位置を「上端」と呼ぶ。さらに、下方における端部を「下端部」と呼び、軸方向における下端の位置を「下端」と呼ぶ。また、各々の構成要素の表面において、上方を向く面を「上面」と呼び、下方を向く面を「下面」と呼ぶ。
【００１２】
また、中心軸ＣＡと垂直な方向を「径方向」と呼ぶ。径方向のうち、中心軸ＣＡへと近づく向きを「径方向内方」と呼び、中心軸ＣＡから離れる向きを「径方向外方」と呼ぶ。各々の構成要素において、径方向内方における端部を「径方向内端部」と呼び、径方向における径方向内端の位置を「径方向内端」と呼ぶ。さらに、径方向外方における端部を「径方向外端部」と呼び、径方向における径方向外端の位置を「径方向外端」と呼ぶ。また、各々の構成要素の側面において、径方向内方を向く側面を「内側面」と呼び、径方向外方を向く側面を「外側面」と呼ぶ。
【００１３】
また、中心軸ＣＡを中心とする回転方向を「周方向」と呼ぶ。各々の構成要素において、周方向における端部を「周方向端部」と呼び、周方向における周方向端の位置を「周方向端」と呼ぶ。また、一方の周方向における端部を「周方向一方端部」と呼び、周方向における周方向一方端の位置を「周方向一方端」と呼ぶ。さらに、他方の周方向における端部を「周方向他方端部」と呼び、周方向における周方向他方端の位置を「周方向他方端」と呼ぶ。また、各々の構成要素の側面において、周方向を向く側面を「周方向側面」と呼ぶ。さらに、一方の周方向を向く側面を「周方向一方側面」と呼び、他方の周方向を向く側面を「周方向他方側面」と呼ぶ。
【００１４】
なお、以上に説明した事項は、実際の機器に組み込まれた場合において厳密に適用されるものではない。
【００１５】
＜１．実施形態＞
図１は、実施形態に係る送風装置１００の斜視図である。図２は、実施形態に係る送風装置１００の斜視断面図である。なお、図１は、後述する第２ハウジング１２０を透明表示して、その内部を透視できるようにしている。図２は、図１の二点鎖線Ａ−Ａに沿い且つ中心軸ＣＡを含む平面で送風装置１００を切断した場合の仮想の断面構造を示している。
【００１６】
＜１−１．送風装置＞
本実施形態に係る送風装置１００は、空気清浄機である。但し、送風装置１００の用途はこの例示に限定されない。
【００１７】
図１及び図２に示すように、送風装置１００は、ファン１を備える。ファン１は、第１吸気口１１で吸引した空気を第１排気口１２から送出する。ファン１の構成は、後に説明する。
【００１８】
送風装置１００は、第２ハウジング１２０をさらに備える。第２ハウジング１２０は、ファン１を内部に収容する。第２ハウジング１２０には、第２吸気口１０１と第２排気口１０２とが設けられる。第２吸気口１０１は、ファン１の第１吸気口１１と連通する。第２排気口１０２は、ファン１の第１排気口１２と連通する。こうすれば、後述するようにファン１の軸方向サイズの増大を抑制できるので、該ファン１を搭載する送風装置１００の軸方向サイズの増大も抑制できる。さらに、軸方向においてより広範囲に、第２排気口１０２から気流を送出できる。
【００１９】
図１に示すように、第２ハウジング１２０は、前ハウジング部１２１と、後ハウジング部１２２と、下ハウジング部１２３と、を有する。前ハウジング部１２１及び後ハウジング部１２２は、第２ハウジング１２０の上部を構成する。下ハウジング部１２３は、第２ハウジング１２０の下部であり、前ハウジング部１２１及び後ハウジング部１２２の下端部を覆う。前ハウジング部１２１、後ハウジング部１２２、及び下ハウジング部１２３で囲まれた空間内に、ファン１が収容される。
【００２０】
次に、送風装置１００は、フィルタ１１０をさらに備える。フィルタ１１０は、第２ハウジング１２０の内部に収容される。第２吸気口１０１は、フィルタ１１０を介して、第１吸気口１１と連通する。フィルタ１１０は、送風装置１００の第２吸気口１０１で吸引される空気に含まれる塵埃を捕集する。そのため、送風装置１００は、より清浄な気流を第２排気口１０２から送出できる。つまり、送風装置１００は、空気清浄機能を得ることができる。
【００２１】
また、送風装置１００は、図１に示すように、制御基板１３１と、ＬＥＤ１３２と、ＰＩＲ（passive infra-red）センサ１３３と、風量切換スイッチ１３４と、電源スイッチ１３５と、をさらに備える。制御基板１３１には、送風装置１００の構成要素の駆動を制御する回路、素子など（図示省略）が搭載される。たとえば、制御基板１３１は、ファン１のモータ２を制御するモータドライバ（図示省略）を搭載する。ＬＥＤ１３２は、たとえば制御基板１３１に搭載されるドライバにより発光制御される発光素子である。ＰＩＲセンサ１３３は、送風装置１００の外部に存在する物体の動きを検知する。たとえば、ＰＩＲセンサ１３３は、外部から入射する赤外線を検知し、検知した赤外線の強度変化などによって該赤外線の発生源の動きを検出する。なお、赤外線の発生源は、人体、動物の肉体などである。ＰＩＲセンサ１３３での検知結果に基づいて、たとえば、送風装置１００のオンオフを自動的に制御することができる。また、該検知結果に基づいてモータ２の駆動が制御されることにより、ファン１の第１排気口１２から送出される風量を自動的に調節することができる。風量切換スイッチ１３４は、送風装置１００の第２排気口１０２から送出される風量を調節するためのスイッチ素子である。ユーザは、風量切換スイッチ１３４を操作することにより、ファン１の第１排気口１２から送出される風量を手動で調節できる。電源スイッチ１３５は、送風装置１００のオンオフを切り替えるためのスイッチ素子である。
【００２２】
＜１−２．ファン＞
次に、図１及び図２を参照して、ファン１の構成を説明する。図１及び図２に示すように、ファン１は、モータ２と、インペラ３と、第１ハウジング４と、を備える。インペラ３は、モータ２の下部に取り付けられる。第１ハウジング４は、インペラ３を内部に収容する。また、ファン１は、バッテリー５をさらに備える。バッテリー５は、モータ２に電力を供給する。
【００２３】
＜１−２−１．モータ＞
モータ２は、インペラ３を回転させる駆動装置である。本実施形態では、スピンドルモータがモータ２に採用されている。モータ２の軸方向幅をより薄くすることにより、ファン１の軸方向サイズの増大を抑制できる。但し、本実施形態の例示に限定されず、スピンドルモータ以外のモータ２が採用されてもよい。モータ２は、ロータ２１と、ステータ２２と、を有する。ロータ２１は、上下方向に延びる中心軸ＣＡを中心にインペラ３とともに回転可能である。ステータ２２は、ロータ２１と径方向に対向する。ステータ２２は、モータ２を駆動する際に、ロータ２１を駆動して中心軸ＣＡを中心に回転させる。
【００２４】
＜１−２−２．インペラ＞
インペラ３は、本実施形態では直接的にモータ２のロータ２１に取り付けられる。但し、この例示に限定されず、インペラ３は、ロータ２１の一部であってもよい。或いは、インペラ３は、取付部材などを介して、間接的にロータ２１に取り付けられてもよい。
【００２５】
インペラ３は、ロータ２１に固定されるインペラベース３１を有する。インペラベース３１は、中心軸ＣＡから径方向外方に広がる。
【００２６】
インペラ３は、シュラウド３２をさらに有する。シュラウド３２は、インペラベース３１よりも下方に配置される。シュラウド３２の中央部には、軸方向にシュラウド３２を貫通する開口（符号省略）が設けられる。インペラ３の内部は、該開口及び第１吸気口１１を介して、ファン１の外部と連通する。
【００２７】
インペラ３は、インペラベース３１の下面に配置されるブレード３３をさらに有する。ブレード３３は、周方向に複数配列される。ブレード３３は、軸方向においてインペラベース３１とシュラウド３２との間に配置される。各々のブレード３３の上端部は、インペラベース３１の下面に接続される。各々のブレード３３の下端部は、シュラウド３２の上面に接続される。
【００２８】
＜１−２−３．第１ハウジング＞
次に、図１及び図２と図３及び図４とを参照して、第１ハウジング４の構成を説明する。図３は、実施形態に係る第１ハウジング４の斜視図である。図４は、実施形態に係る送風装置１００の断面を上方から見た図である。なお、図４は、図１の二点鎖線Ｂ−Ｂに沿い且つ中心軸ＣＡと垂直な平面で送風装置１００を切断した場合の仮想の断面構造を示している。
【００２９】
第１ハウジング４は、ステータ２２に取り付けられるハウジングベース部４１を有する。ハウジングベース部４１は、径方向外方に向かって広がる板状である。
【００３０】
第１ハウジング４は、第１吸気口１１が設けられるハウジング蓋部４２をさらに有する。ハウジング蓋部４２は、ハウジングベース部４１よりも下方に配置され、該ハウジングベース部４１と軸方向に対向する。第１吸気口１１は、本実施形態ではハウジング蓋部４２の中央部に設けられ、軸方向から見て中心軸ＣＡと重なる。
【００３１】
軸方向において、ハウジングベース部４１とハウジング蓋部４２との間には、インペラ３が配置される。
【００３２】
第１ハウジング４は、モータ２よりも径方向外方に配置される通路部４３をさらに有する。通路部４３は、周方向に延びる。通路部４３には、インペラ３の回転により第１吸気口１１から第１排気口１２に向かって送出される気流が流れる。通路部４３の下端部は、ハウジング蓋部４２で覆われる。通路部４３は、内壁部４３１と、外壁部４３２と、上壁部４３３と、を有する。内壁部４３１は、ハウジングベース部４１の径方向外端部から上方に延び、且つ、周方向に延びる。外壁部４３２は、内壁部４３１よりも径方向外方に配置され、ハウジング蓋部４２の径方向外端部から上方に延び、且つ、周方向に延びる。外壁部４３２は、内壁部４３１と径方向に間隔を有して対向する。上壁部４３３は、内壁部４３１と外壁部４３２との間の隙間の上端部を覆う。上壁部４３３の径方向内端部は、内壁部４３１の上端部に接続される。上壁部４３３の径方向外端部は、外壁部４３２の上端部に接続される。なお、内壁部４３１と外壁部４３２との間の隙間の下端部は、ハウジング蓋部４２で覆われる。
【００３３】
通路部４３は、ハウジングベース部４１の径方向外端部とハウジング蓋部４２の径方向外端部とに接続される。より具体的には、内壁部４３１の下端部は、ハウジングベース部４１の径方向外端部に接続される。外壁部４３２の下端部は、ハウジング蓋部４２の径方向外端部に接続される。通路部４３の周方向における一方端部から他方端部に向かうにつれて、通路部４３の軸方向幅は、より長くなる。さらに、通路部４３の上端は、より上方に配置される。つまり、通路部４３の周方向における一方端部から他方端部に向かうにつれて、通路部４３の上端は、より上方に配置される。言い換えると、気流の上流側から下流側に向かうにつれて、通路部４３の上端は、より上方に配置される。さらに、内壁部４３１の軸方向幅及び外壁部４３２の軸方向幅はより長くなり、内壁部４３１の上端及び外壁部４３２の上端はより上方に配置される。通路部４３の周方向における他方端部には、第１排気口１２が設けられる。
【００３４】
通路部４３の周方向における一方端部から他方端部に向かうにつれて該通路部４３の軸方向幅が長くなるので、第１排気口１２の軸方向幅をより広くできる。さらに、通路部４３の周方向における一方端部から他方端部に向かうにつれて、軸方向に沿ってインペラ３からモータ２に向かう上方に向かって、該通路部４３の上端の軸方向位置が変化する。従って、上述のような形状の通路部４３を設けても、ファン１の軸方向サイズが増大し難い。よって、通路部４３を設けることによるファン１の軸方向サイズの増大を抑制しつつ、ファン１は、軸方向においてより広範囲に第１排気口１２から気流を送出できる。
【００３５】
第１排気口１２における通路部４３の軸方向幅Ｗａ（図３参照）は、モータ２の軸方向幅よりも長い。こうすれば、モータ２が通路部４３よりも上方に突出し難くなる、従って、ファン１の軸方向サイズの増大をより抑制できる。
【００３６】
本実施形態では、通路部４３は複数である。さらに、各々の通路部４３の第１排気口１２は、好ましくは、周方向において等間隔に配置される。そのため、ファン１は、周方向において気流をより均等に送出できる。但し、この例示に限定されず、各々の通路部４３の第１排気口１２は、周方向において等間隔に配置されなくてもよい。また、通路部４３の数は、図１から図４では２個である。但し、図１から図４の例示に限定されず、通路部４３の数は、２以外の複数であってもよい。
【００３７】
第１排気口１２における通路部４３の上端は、好ましくは図１及び図２に示すように、モータ２の上端よりも上方に配置される。なお、通路部４３の下端は、モータ２の下端よりも下方に配置される。こうすれば、モータ２が通路部４３よりも上方及び下方に突出しない。そのため、ファン１の軸方向サイズが第１排気口１２付近での通路部４３の軸方向幅を考慮したサイズよりも増大することを防止できる。
【００３８】
通路部４３の下端は、好ましくは図１及び図２に示すように、第１吸気口１１よりも上方に配置される。たとえば、内壁部４３１の下端及び外壁部４３２の下端が、第１吸気口１１よりも上方に配置される。こうすれば、第１吸気口１１で吸引される空気が、第１吸気口１１よりも下方に流れないため、インペラ３の回転により通路部４３に向かってスムーズに流れ易い。従って、第１排気口１２から送出される気流の風量を増大できる。但し、この例示に限定されず、通路部４３の下端は、第１吸気口１１と同じ軸方向位置に配置されてもよいし、第１吸気口１１よりも下方に配置されてもよい。
【００３９】
通路部４３の径方向幅Ｗｒは、好ましくは、周方向において一定である。径方向幅Ｗｒは、通路部４３内において気流が流れる方向と軸方向とに垂直な方向における通路部４３の幅である。たとえば、内壁部４３１の外側面と外壁部４３２の内側面との間の間隔が、好ましくは一定である。こうすれば、通路部４３の周方向における一方端部から他方端部に向かうにつれて、該通路部４３の径方向幅Ｗｒが増大しない。従って、ファン１の径方向サイズの増大を抑制できる。但し、この例示に限定されず、通路部４３の径方向幅Ｗｒは、周方向において一定でなくてもよい。
【００４０】
通路部４３の他方端部は、好ましくは図４に示すように、軸方向と垂直な方向に真っ直ぐ延びる。こうすれば、たとえば通路部４３の他方端部が延びる方向及び軸方向と垂直な方向に向かって通路部４３の他方端部が広がる構成と比べて、第１排気口１２から送出される気流に乱流が発生し難い。そのため、第１排気口１２における該気流の送出量の低下を抑制できる。但し、この例示に限定されず、通路部４３の他方端部が延びる方向は、軸方向から見て湾曲してもよい。
【００４１】
なお、本実施形態では、ハウジングベース部４１及び通路部４３は、それぞれ同一部材の互いに異なる一部であり、たとえば一体成型で形成される。さらに、ハウジング蓋部４２は、ハウジングベース部４１及び通路部４３とは異なる部材である。但し、本実施形態の例示に限定されず、ハウジングベース部４１、ハウジング蓋部４２、及び通路部４３は、それぞれ同一部材の互いに異なる一部であってもよい。たとえば、ハウジングベース部４１、ハウジング蓋部４２、及び通路部４３の全てが、一体成型で形成されてもよい。或いは、ハウジングベース部４１及び通路部４３のうちの一方とハウジング蓋部４２とは、それぞれ同一部材の互いに異なる一部であってよい。但し、この場合、ハウジングベース部４１及び通路部４３のうちの他方は、ハウジング蓋部４２を含む部材とは異なる部材である。このように、ハウジングベース部４１、ハウジング蓋部４２、及び通路部４３のうちの一部は、他の一部とは異なる部材であってもよい。
【００４２】
また、ハウジングベース部４１、ハウジング蓋部４２、及び通路部４３のうちの少なくともいずれかは、それぞれ、たとえば一体成型により形成される１個の構成要素であってもよい。或いは、ハウジングベース部４１、ハウジング蓋部４２、及び通路部４３のうちの少なくともいずれかは、それぞれ、複数に分割された構成要素を含む部材であってもよく、たとえば周方向に分割された複数の構成要素を含んでもよい。
【００４３】
つまり、ハウジングベース部４１、ハウジング蓋部４２、及び通路部４３はそれぞれ、第１ハウジング４の互いに異なる部位の名称であり、第１ハウジング４が有する互いに異なる部材には限定されない。
【００４４】
＜１−２−４．バッテリー＞
バッテリー５は、送風装置１００の各々の構成要素に電力を供給可能な蓄電装置である。バッテリー５は、外部電源端子（図示省略）と電気的に接続され、外部電源端子を通じて外部の電力源から供給される電力を蓄電する。バッテリー５は、たとえばモータ２、制御基板１３１、及びＰＩＲセンサ１３３などと電気的に接続され、放電によってこれらに電力を供給する。バッテリー５は、たとえば、リチウムイオン電池、ニッケル水素電池、ニッケルカドミウム電池、及び鉛電池などの二次電池である。
【００４５】
バッテリー５は、通路部４３よりも径方向内方に配置される。こうすれば、大容量のバッテリー５の搭載によるファン１の径方向サイズの増大を抑制できる。
【００４６】
バッテリー５の上端は、好ましくは、第１排気口１２における通路部４３の上端よりも下方に配置される。こうすれば、バッテリー５の上端が第１排気口１２付近にて通路部４３の上端よりも上方に配置されない程度において、軸方向サイズが大きいバッテリー５をファン１に採用できる。従って、バッテリー５を設けることによるファン１の軸方向サイズの増大を抑制しつつ、バッテリー５の上端が第１排気口１２における通路部４３の上端を越えない程度に大きいバッテリー５をファン１に搭載できる。但し、この例示に限定されず、バッテリー５の上端は、第１排気口１２における通路部４３の上端と同じ軸方向位置に配置されてもよいし、第１排気口１２における通路部４３の上端よりも上方に配置されてもよい。
【００４７】
＜２．第１変形例＞
次に、実施形態の第１変形例について説明する。以下では、上述の実施形態と異なる構成について説明する。また、上述の実施形態と同様の構成要素には同じ符号を付し、その説明を省略することがある。
【００４８】
図５は、第１変形例に係る送風装置１００ａの斜視図である。図６は、第１変形例に係る送風装置１００ａの斜視断面図である。図７は、第１変形例に係る第１ハウジング４ａの斜視図である。図８は、第１変形例に係る送風装置１００ａの断面を上方から見た図である。なお、図５は、第２ハウジング１２０ａを透明表示して、その内部を透視できるようにしている。図６は、図５の二点鎖線Ｃ−Ｃに沿い且つ中心軸ＣＡを含む平面で送風装置１００ａを切断した場合の仮想の断面構造を示している。図８は、図１の二点鎖線Ｄ−Ｄに沿い且つ中心軸ＣＡと垂直な平面で送風装置１００ａを切断した場合の仮想の断面構造を示している。
【００４９】
送風装置１００ａは、ファン１ａを有する。第１変形例では、第１ハウジング４ａの通路部４３ａの数、及び、第１排気口１２ａの数は１個である。そのため、第２ハウジング１２０ａの前ハウジング部１２１ａには、１個の第２排気口１０２ａが設けられる。
【００５０】
＜３．第２変形例＞
次に、実施形態の第２変形例について説明する。以下では、上述の実施形態及び第１変形例と異なる構成について説明する。また、上述の実施形態又は第１変形例と同様の構成要素には同じ符号を付し、その説明を省略することがある。
【００５１】
図９は、第２変形例に係る送風装置１００ｂの斜視図である。図１０は、第２変形例に係る送風装置１００ｂの縦断面図である。図１１は、第２変形例に係るターンテーブル機構を示す斜視断面図である。なお、図１０は、図９の二点鎖線Ｅ−Ｅに沿い且つ中心軸ＣＡを含む平面で送風装置１００ｂを切断した場合の仮想の断面構造を示している。図１１は、図９の中心軸ＣＡを含む平面で第２変形例に係るターンテーブル機構を切断した場合の仮想の断面構造を示している。
【００５２】
送風装置１００ｂは、ファン１ａと、第２ハウジング１２０ａと、ターンテーブル１４１と、テーブル駆動モータ１５０と、を有する。第２ハウジング１２０ａは、ファン１ａを内部に収容する。本変形例においては、ファン１ａ及び第２ハウジング１２０ａは、第１変形例に係る送風装置１００ａにおけるファン１ａ及び第２ハウジング１２０ａと同一である。ただし、ファン１ａ及び第２ハウジング１２０ａは、送風装置１００ａと異なる構造であってもよい。
【００５３】
ターンテーブル１４１は、台座部１４２と、筒状部１４３と、を有する。台座部１４２は、軸方向と直交する方向に拡がる円板状の部位である。筒状部１４３は、台座部１４２の径方向外縁から下方に延びる筒状の部位である。ターンテーブル１４１は、第２ハウジング１２０ａの下方に配置され、第２ハウジング１２０ａを支持する。より詳細に述べると、ターンテーブル１４１の上面には、下ハウジング部１２３が固定される。なお、台座部１４２は、円板以外の形状であってもよい。
【００５４】
ターンテーブル１４１は、第３ハウジング１４０に内包される。第３ハウジング１４０は、第２ハウジング１２０ａよりも下方に配置される。第３ハウジング１４０は、中心軸ＣＡと直交する方向に拡がる底板部と、底板部の径方向外縁から上方に延びる円筒状の円筒部と、を有する。ターンテーブル１４１は、テーブル駆動モータ１５０に支持されている。テーブル駆動モータ１５０は、ターンテーブル１４１を上下に延びるテーブル回転軸ＣＡｂ回りに回転駆動可能である。これにより、第２ハウジング１２０ａをテーブル回転軸ＣＡｂ回りに回転させることによって、第２排気口１０２ａの向きを変えてより広範囲に風を排出することが可能である。また、テーブル駆動モータ１５０の回転角度を制御することによって、第２排気口１０２ａを特定の方向に向けることで、好ましい方向に風を排出することもできる。
【００５５】
また、本変形例においては、送風装置１００ｂが、ＰＩＲセンサ１３３を有する。よって、送風装置１００ｂの外部にいる人を感知し、自動的にターンテーブル１４１が第２ハウジング１２０ａを回転させ、第２排気口１０２ａを当該人の方向に向けることが可能である。
【００５６】
本変形例においては、中心軸ＣＡとテーブル回転軸ＣＡｂとは、同軸である。すなわち、中心軸ＣＡと直交する面において、中心軸ＣＡとテーブル回転軸ＣＡｂとは、重なる。これにより、ファン１ａの中心をできるだけ中心軸ＣＡに近づけ、ファン１ａの中心をテーブル回転軸ＣＡｂに近づけることによって、台座部１４２の中心にファン１ａを配置することが可能となり、ターンテーブル１４１にかかる負荷を低減することができる。  
【００５７】
＜３．その他＞
以上、本発明の実施形態を説明した。なお、本発明の範囲は上述の実施形態に限定されない。本発明は、発明の主旨を逸脱しない範囲で上述の実施形態に種々の変更を加えて実施することができる。また、上述の実施形態で説明した事項は、矛盾を生じない範囲で適宜任意に組み合わせることができる。
【産業上の利用可能性】
【００５８】
本発明は、気流が流れる通路部を有するファン、及び、送風装置に有用である。
【符号の説明】
【００５９】
１，１ａ・・・ファン、１１・・・第１吸気口、１２，１２ａ・・・第１排気口、２・・・モータ、２１・・・ロータ、２２・・・ステータ、３・・・インペラ、３１・・・インペラベース、３２・・・シュラウド、３３・・・ブレード、４，４ａ・・・第１ハウジング、４１・・・ハウジングベース部、４２・・・ハウジング蓋部、４３，４３ａ・・・通路部、４３１・・・内壁部、４３２・・・外壁部、４３３・・・上壁部、５・・・バッテリー、１００，１００ａ，１００ｂ・・・送風装置、１０１・・・第２吸気口、１０２、１０２ａ・・・第２排気口、１１０・・・フィルタ、１２０，１２０ａ・・・第２ハウジング、１２１，１２１ａ・・・前ハウジング部、１２２・・・後ハウジング部、１２３・・・下ハウジング部、１３１・・・制御基板、１３２・・・ＬＥＤ、１３３・・・ＰＩＲセンサ、１３４・・・風量切換スイッチ、１３５・・・電源スイッチ、１４０・・・第３ハウジング、１４１・・・ターンテーブル、１４２・・・台座部、１４３・・・筒状部、１５０・・・テーブル駆動モータ、ＣＡ・・・中心軸、ＣＡｂ・・・テーブル回転軸
【図１】
2020106010.tif 000003
【図２】
2020106010.tif 000004
【図３】
2020106010.tif 000005
【図４】
2020106010.tif 000006
【図５】
2020106010.tif 000007
【図６】
2020106010.tif 000008
【図７】
2020106010.tif 000009
【図８】
2020106010.tif 000010
【図９】
2020106010.tif 000011
【図１０】
2020106010.tif 000012
【図１１】
2020106010.tif 000013